(57)【要約】      （修正有）【課題】表示部材を設置する現場の状況に応じて、その場で表示体や掛け渡しバーの位置を適宜調整できるようにした表示部材セット、それに使用する装着アタッチメント、表示部材及び表示シートを提供する。【解決手段】表示部材セットは、表側部と裏側部の周りに沿って連続的に設けられたアタッチメント被装着部１５を有する表示部材１と、該表示部材１に対する固定位置を変えることができるように、上記アタッチメント被装着部１５の所要の位置に着脱可能に固定することができる装着アタッチメント４と、を備えている。装着アタッチメント４には、表示パネル３または掛け渡しバー５が取り付け可能となっている。【選択図】図１９
2008003334.tif 000002
【特許請求の範囲】
【請求項１】
表示面(11,12)を備え、該表示面(11,12)の周りに沿って連続的または断続的に設けられた被装着部(15)を有する表示部材(1)と、
該表示部材(1)に対する固定位置を変えることができるように、上記被装着部(15)の所要の位置に着脱可能に固定することができる装着アタッチメント(4)と、
を備えており、
該装着アタッチメント(4)には、上記表示部材(1)に施される表示とは別に表示を施すことが可能な表示体(3)、または／及び並設される上記表示部材(1,1)の間に掛け渡すように配置することにより該表示部材(1,1)と協働して仕切区域を形成できる掛け渡しバー(5)が取り付けられているか、取り付け可能である、
表示部材セット。
【請求項２】
表示面(11,12)を有する周壁を備え、該表示面(11,12)の周りに沿って連続的または断続的に設けられた被装着部(15)を有する表示部材(1)と、
該表示部材(1)に対する固定位置を変えることができるように、上記被装着部(15)の所要の位置に着脱可能に固定することができる装着アタッチメント(4)と、
を備えており、
該装着アタッチメント(4)には、上記表示部材(1)に施される表示とは別に表示を施すことが可能な表示体(3)、または／及び並設される上記表示部材(1,1)の間に掛け渡すように配置することにより該表示部材(1,1)と協働して仕切区域を形成できる掛け渡しバー(5)が取り付けられているか、取り付け可能であり、
更に該装着アタッチメント(4)は、上記表示部材(1)の被装着部(15)に嵌め込むことができる嵌込部(42)を有しており、該嵌込部(42)は上記被装着部(15)を挟持または把持する方向に力が作用することで表示部材(1)に対する装着アタッチメント(4)の固定が維持される、
表示部材セット。
【請求項３】
周壁を構成するように連設された表裏一対の側面部(11,12)を備え、該側面部(11,12)の縁部の一部または全部に沿うようにして連続的または断続的に設けられた被装着部(15)を有する表示部材(1)と、
該表示部材(1)に対する固定位置を変えることができるように、上記被装着部(15)の所要の位置に着脱可能に固定することができる装着アタッチメント(4)と、
を備えており、
該装着アタッチメント(4)には、上記表示部材(1)に施される表示とは別に表示を施すことが可能な表示体(3)、または／及び並設される上記表示部材(1,1)の間に掛け渡すように配置することにより該表示部材(1,1)と協働して仕切区域を形成できる掛け渡しバー(5)が取り付けられているか、取り付け可能であり、
更に該装着アタッチメント(4)は、上記表示部材(1)の被装着部(15)に嵌め込むことができる嵌込部(42)を有しており、該嵌込部(42)は自己の形状保持力または／及び付勢手段によって上記被装着部(15)を挟持または把持する方向に力が作用することで、表示部材(1)に対する装着アタッチメント(4)の固定が維持される、
表示部材セット。
【請求項４】
表示部材(1)を着脱可能に取り付けることができ、取り付けた表示部材(1)に自立性を付与することができる取付ベース(2)を備えている、
請求項１ないし３のいずれかに記載の表示部材セット。
【請求項５】
表示部材(1)は少なくとも基部側が筒状に形成されていると共に、基部側開口(10)を閉じようとする自己閉鎖性を有しており、該自己閉鎖性によって基部側開口(10)が閉じる方向に力が作用することで、取付ベース(2)に対する表示体の取り付けが維持される、
請求項４記載の表示部材セット。
【請求項６】
外側に表示面(101)を有し、表示部材(1)に着脱可能に被せることができる表示シート(100)を備えている、
請求項１ないし５のいずれかに記載の表示部材セット。
【請求項７】
請求項１ないし６のいずれかに記載の表示部材セットを構成する、
装着アタッチメント。
【請求項８】
請求項１ないし６のいずれかに記載の表示部材セットを構成する、
表示部材。
【請求項９】
請求項１ないし６のいずれかに記載の表示部材セットを構成する、
表示シート。
【発明の詳細な説明】
【技術分野】
【０００１】
本発明は、表示部材セット、それに使用する装着アタッチメント及び表示体に関する。
更に詳しくは、表示部材を設置する現場の状況に応じて、その場で表示体等の位置を適宜調整できるようにした表示部材セット、それに使用する装着アタッチメント、表示部材及び表示シートに関する。
【０００２】
また表示部材の設置場所などに応じて、現場で表示体等の高さ方向の取付位置を適宜調整できるようにした表示部材セット、それに使用する装着アタッチメント、表示部材及び表示シートに関する。
【背景技術】
【０００３】
従来より、交通規制や危険な場所の区画表示に、セーフティコーンと呼ばれる錐形の保安用具（以下、「コーン部材」という）が用いられている。また近年では、このコーン部材に別途、板状の表示体を取り付けることにより、コーン部材に各種の文字や図形等の表示を施すようにしたものが提案されている（例えば特許文献１、２等）。
【特許文献１】特開２００３−３４９１３号公報（第１図、第２図）
【特許文献２】特開平１０−１２３９５２号公報（第１図）
【０００４】
特許文献１には、略リング状の取付具（角材型ステーと称される）を有する標識プレートなる表示体を使用し、この略リング状の取付部をコーン部材の先部側から嵌め込むことにより、表示体を取り付けるようにしたものが提案されている。
【０００５】
特許文献２には、コーン嵌合孔を有する側面視Ｍ形状の板状材からなる表示体を使用し、コーン嵌合孔をコーン部材の先部側から嵌め込むことにより、表示体をコーン部材に取り付けるようにしたものが提案されている。
【０００６】
ところで、このコーン部材は、それ単独で使用する場合もあるが、仕切区域を形成するために、横に複数並べたコーン部材を棒状の掛け渡しバーで連結して使用する場合がある。この掛け渡しバーの両端側には、隣り合うコーン部材の先端側に嵌め入れるためのリング状の取付具（以下、「リング部」という）が設けてある。
【発明の開示】
【発明が解決しようとする課題】
【０００７】
しかしながら、上記した従来のコーン部材に対する表示体または掛け渡しバーの取り付け構造には、以下のような課題があった。
【０００８】
（表示体について）
(1) 即ち、上記した特許文献１及び２に記載のものは、何れも単に表示体の嵌め込み用の孔をコーン部材の先部側から嵌め込んで引っ掛けただけの構造である。よって、嵌め込み用の孔の大きさ(直径)によって、取り付けた表示体の高さが決まってしまう。つまり、コーン部材を設置する現場の状況に応じて、その場で表示体の位置を適宜調整することはできない。
【０００９】
具体例を挙げると、例えば道路脇や空き地の歩道沿いに表示板を取り付けたコーン部材を設置する際に、表示板の前方に電柱やガードレール等といった視界を妨げる障害物があった場合、障害物で表示板が隠れないような位置にコーン部材を移動させる必要がある。しかし、道路事情等が悪い住宅密集地などでは、道路脇や歩道沿いに設置できるコーン部材のスペースは限られているため、コーン部材の設置位置を変えることなく、コーン部材に対する表示板の位置を適宜調整できることが好ましい。
【００１０】
(2) また単に嵌め込んで引っ掛けただけの構造であるため、表示体が強風であおられたり、歩行者や車が接触してコーン部材が転倒した場合には、表示体がコーン部材から簡単に外れてしまう可能性が高い。このため、表示体を取り付けたコーン部材を一般道路に設置する場合は、外れた表示体が交通や歩行者の妨げになって危険である。
【００１１】
（掛け渡しバーについて）
(1) また上記したように、コーン部材は掛け渡しバーと共に使用して仕切区域を形成することができるが、単に掛け渡しバーのリング部をコーン部材の先部側に嵌め込むだけの構造なので、表示体の場合と同様に、コーン部材から簡単に外れやすい欠点がある。
【００１２】
(2) 更に、掛け渡しバーと共に使用することで、道路工事に伴う車の交通規制等に使用するには好適であるが、通常のコーン部材の高さは大人の腰の高さよりもやや低い約７０センチ程度しかないため、人が容易に跨いで乗り越えることができるという欠点がある。このため、例えば重要犯罪やひき逃げ事件などの現場検証時等の緊急に現場保全が必要なときなどに、関係者以外の立ち入りを厳密に禁止する仕切り部材として、十分に機能するとは言えない。
【００１３】
そこで、単純にコーン部材の高さがより高くなるように、コーン部材を大きく製造することも考えられるが、上記したように、掛け渡しバーの高さを適宜調整できるような構造にはなっていないので、掛け渡しバーの取付位置があまり高いと逆に下からくぐり抜ける者を止めることができない。かといって、取付位置をコーン部材の基部側に設定すると、掛け渡しバーのリング部の大きさがコーン部材の基部側の直径と等しくなるため、異常に大きくなり、持ち運びや保管が不便になる。よって、コーン部材のようにリング部の大きさを変えることなく、掛け渡しバーの取付位置を適宜調整できるような表示部材の取付構造が好ましい。
【００１４】
(3) また現在、例えば警察や消防が現場検証を行う際に簡易的な掛け渡しバーとして、夜間でも良く目立つように着色された蛍光イエローの仕切り用テープが主に使用されている。この仕切り用テープは、上に持ち上げれば簡単に下からくぐって中に入ることができるので、警察官や消防隊などの特定の関係者が現場の中と外を自由に行き来するような場面に好適に使用できるといった利点がある。
【００１５】
しかしながら、細く薄いシート状のテープを素材としているため、侵入者に対して一定の抑止効果は期待できるものの、現場への立ち入りを厳密に禁止するための掛け渡しバーとしての機能は十分とは言えない。よって、コーン部材の掛け渡しバーのように、車両の侵入を禁止できる程度のバリケード的な効果を有し、尚かつ、仕切用テープのように高さ方向に上げ下げできるようにして、特定の関係者が現場の中と外を自由に行き来するような場面にも好適に使用できる新規な掛け渡しバーの取付構造の開発が望まれる。
【００１６】
（本発明の目的）
そこで本発明の目的は、表示部材を設置する現場の状況に応じて、その場で表示体等の位置を適宜調整できるようにした表示部材セット、それに使用する装着アタッチメント、表示部材及び表示シートを提供することにある。
【００１７】
また本発明の他の目的は、表示部材から表示体等が簡単に外れないように防止することにより、例えば車や人が行き交う一般の道路でも、表示体等が取り付けられた表示部材を安全に設置できるようにした表示部材セット、それに使用する装着アタッチメント、表示部材及び表示シートを提供することにある。
【００１８】
更に本発明の他の目的は、表示部材と協働して仕切区域を形成する掛け渡しバーにより、車両の侵入を禁止できる程度のバリケード的な効果を有し、また仕切用テープのように高さ方向に上げ下げできるようにして、特定の関係者が現場の中と外を自由に行き来するような場面にも好適に使用できるようにした表示部材セット、それに使用する装着アタッチメント、表示部材及び表示シートを提供することにある。
【課題を解決するための手段】
【００１９】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００２０】
本発明は、表示面(11,12)を備え、該表示面(11,12)の周りに沿って連続的または断続的に設けられた被装着部(15)を有する表示部材(1)と、該表示部材(1)に対する固定位置を変えることができるように、上記被装着部(15)の所要の位置に着脱可能に固定することができる装着アタッチメント(4)と、を備えており、該装着アタッチメント(4)には、上記表示部材(1)に施される表示とは別に表示を施すことが可能な表示体(3)、または／及び並設される上記表示部材(1,1)の間に掛け渡すように配置することにより該表示部材(1,1)と協働して仕切区域を形成できる掛け渡しバー(5)が取り付けられているか、取り付け可能である、表示部材セットである。
【００２１】
本発明は、表示面(11,12)を有する周壁を備え、該表示面(11,12)の周りに沿って連続的または断続的に設けられた被装着部(15)を有する表示部材(1)と、該表示部材(1)に対する固定位置を変えることができるように、上記被装着部(15)の所要の位置に着脱可能に固定することができる装着アタッチメント(4)と、を備えており、該装着アタッチメント(4)には、上記表示部材(1)に施される表示とは別に表示を施すことが可能な表示体(3)、または／及び並設される上記表示部材(1,1)の間に掛け渡すように配置することにより該表示部材(1,1)と協働して仕切区域を形成できる掛け渡しバー(5)が取り付けられているか、取り付け可能であり、更に該装着アタッチメント(4)は、上記表示部材(1)の被装着部(15)に嵌め込むことができる嵌込部(42)を有しており、該嵌込部(42)は上記被装着部(15)を挟持または把持する方向に力が作用することで表示部材(1)に対する装着アタッチメント(4)の固定が維持される、表示部材セットである。
【００２２】
本発明は、周壁を構成するように連設された表裏一対の側面部(11,12)を備え、該側面部(11,12)の縁部の一部または全部に沿うようにして連続的または断続的に設けられた被装着部(15)を有する表示部材(1)と、該表示部材(1)に対する固定位置を変えることができるように、上記被装着部(15)の所要の位置に着脱可能に固定することができる装着アタッチメント(4)と、を備えており、該装着アタッチメント(4)には、上記表示部材(1)に施される表示とは別に表示を施すことが可能な表示体(3)、または／及び並設される上記表示部材(1,1)の間に掛け渡すように配置することにより該表示部材(1,1)と協働して仕切区域を形成できる掛け渡しバー(5)が取り付けられているか、取り付け可能であり、更に該装着アタッチメント(4)は、上記表示部材(1)の被装着部(15)に嵌め込むことができる嵌込部(42)を有しており、該嵌込部(42)は自己の形状保持力または／及び付勢手段によって上記被装着部(15)を挟持または把持する方向に力が作用することで、表示部材(1)に対する装着アタッチメント(4)の固定が維持される、表示部材セットである。
【００２３】
本発明は、上記表示部材(1)を着脱可能に取り付けることができ、取り付けた表示部材(1)に自立性を付与することができる取付ベース(2)を備えている、表示部材セットである。
【００２４】
本発明は、上記表示部材(1)が少なくとも基部側が筒状に形成されていると共に、基部側開口(10)を閉じようとする自己閉鎖性を有しており、該自己閉鎖性によって基部側開口(10)が閉じる方向に力が作用することで、取付ベース(2)に対する表示体の取り付けが維持される、表示部材セットである。
【００２５】
本発明は、外側に表示面(101)を有し、表示部材(1)に着脱可能に被せることができる表示シート(100)を備えている、表示部材セットである。
【００２６】
本発明は、上記表示部材セットを構成する、装着アタッチメントである。
【００２７】
本発明は、上記表示部材セットを構成する、表示部材である。
【００２８】
本発明は、上記表示部材セットを構成する、表示シートである。
【００２９】
本明細書及び特許請求の範囲にいう「表示体(3)または／及び掛け渡しバー(5)」には、表示体(3)または掛け渡しバー(5)のいずれか一方を含む場合もあるし、あるいは表示体(3)及び掛け渡しバー(5)の両方を含む場合もある。
【００３０】
（作  用）
（ａ）本発明は次のように作用する。
装着アタッチメント(4)を使用して、表示体(3)を表示部材(1)に装着する場合を説明する。
即ち、まず装着アタッチメント(4)を表示部材(1)に装着して固定する。詳しくは、表示部材(1)の被装着部(15)に装着アタッチメント(4)を装着し（嵌込部(42)を有しているものは嵌め込んで装着し）、続いて装着アタッチメント(4)に表示体(3)を取り付ける。なお、装着アタッチメント(4)に表示体(3)が取り付けてあるものは、装着アタッチメント(4)を装着すれば良い。
【００３１】
上記した被装着部(15)は、表示面(11,12)の周りに沿って連続的または断続的に設けられている。よって、装着アタッチメント(4)を上記表示部材(1)の被装着部(15)の所要の位置に固定することにより、表示部材(1)に対する固定位置を変えることができる。
このように、表示部材(1)に固定する装着アタッチメント(4)の位置を変えることで、表示部材(1)に対する表示体(3)または／及び掛け渡しバー(5)の位置を適宜調整することができる。したがって、表示部材(1)を設置する現場の状況に応じて、その場で表示体(3)の位置を適宜調整することができる。
【００３２】
（ｂ）装着アタッチメント(4)が嵌込部(42)を有しており、該嵌込部(42)は、上記被装着部(15)を挟持または把持する方向に力が作用することで、表示部材(1)に対する装着アタッチメント(4)の装着が維持されるように構成されているものは、単にコーン部材の先部側から表示体を嵌め込んで引っ掛けただけのコーン部材の取付構造とは相違して、一旦、装着アタッチメント(4)を表示部材(1)を装着すれば、単に一方向から強風が吹いたり、人や車がぶつかったりしても、表示部材(1)から装着アタッチメント(4)が容易に外れにくい。
【００３３】
上記した（ａ）及び（ｂ）の作用は、並設される上記表示部材(1,1)の間に掛け渡すようにして配置することで表示部材(1,1)と協働して仕切区域を形成する掛け渡しバー(5)についても同じか大体同じである。
【００３４】
（ｃ）装着アタッチメント(4)に上記掛け渡しバー(5)が取り付けられているか、取り付け可能となっているものは、例えば従来のコーン部材と共に使用する掛け渡しバーと同様な素材で掛け渡しバーを形成すれば、素材が細く薄い従来の仕切テープとは相違して、掛け渡しバー(5)が風になびいて揺れることもなく、更に車両の侵入を禁止するようなバリケード的な使用にも好適である。
更に、上記した表示体と同様、表示部材に装着する装着アタッチメントの位置を変えるので、人が通ることができるように掛け渡しバーの位置を適宜上げ下げすることにより、従来の仕切りテープと同様に、警察官や消防隊などの特定の関係者が現場の中と外を自由に行き来しやすいという作用を奏する。
【００３５】
（ｄ）表示部材(1)を着脱可能に取り付けることができ、取り付けた表示部材(1)に自立性を付与することができる取付ベース(2)を備えているものは、表示部材(1)が自立性を有していない場合は、取付ベース(2)に取り付けて使用する。
【００３６】
（ｅ）外側に表示面(101)を有し、表示体(1)に着脱可能に被せることができる表示シート(100)を備えているものでは、表示体(1s)にでなく、表示体(1)に被せる表示シート(100)側に例えば商品の広告や店の宣伝等の各種の表示を施す。そして、各種の表示を施した表示シート(100)を複数揃えておけば、表示シート(100)を取り換えるだけで、同じ表示体(1）を繰り返して使用できる。
【発明の効果】
【００３７】
本発明は上記構成を備え、次の効果を有する。
（ａ）本発明によれば、表示部材に固定する装着アタッチメントの位置を変えることで、表示部材に対する表示体または／及び掛け渡しバーの位置を適宜調整することができる。これにより、表示部材を設置する現場の状況に応じて、その場で表示体または／及び掛け渡しバーの位置を適宜調整することができる。
【００３８】
（ｂ）また装着アタッチメントが嵌込部を有しており、該嵌込部は、表示部材の被装着部を挟持または把持する方向に力が作用することで、表示部材に対する装着アタッチメントの装着が維持されるものは、表示部材から表示体または／及び掛け渡しバーが簡単に外れないようになっている。したがって、例えば車や人が行き交う一般の道路でも、表示体または／及び掛け渡しバーが取り付けられた表示部材を安全に設置できる。
【００３９】
（ｃ）更に装着アタッチメントに表示部材と協働して仕切区域を形成する掛け渡しバーが取り付けられているか、取り付け可能となっているものは、従来のコーン部材と共に使用する掛け渡しバーと同様な素材で掛け渡しバーを形成することで、車両の侵入を禁止できる程度のバリケード的な効果を有することができる。更に、人が通ることができるように掛け渡しバーの位置を適宜上げ下げすることにより、特定の関係者が現場の中と外を自由に行き来するような場面にも好適に使用できる。
【００４０】
（ｄ）表示部材を着脱可能に取り付けることができ、取り付けた表示部材に自立性を付与することができる取付ベースを備えているものは、自立性を有していない表示部材であっても取付ベースに取り付けて使用することで、表示部材を立てた状態で使用できる。
【００４１】
（ｅ）外側に表示面を有し、上記表示体に着脱可能に被せることができる表示シートを備えているものでは、各種の表示を施した表示シートを複数揃えておけば、表示シートを取り換えるだけで、同じ表示体を繰り返し使用できる。
【発明を実施するための最良の形態】
【００４２】
以下、本発明を実施例により説明するが、本発明はこれらに限定されるものではない。
【００４３】
本発明を図面に示した実施例に基づき更に詳細に説明する。
【実施例１】
【００４４】
図１ないし図１１は、本発明に係る表示部材セットの第１の実施例を説明するための図である。
図１は、表示部材セットの使用状態を示す正面視説明図、
図２(ａ)(ｂ)は、表示部材セットを構成する装着アタッチメントの斜視説明図、
図３(ａ)は、図２に示す装着アタッチメントの正面視説明図、図３(ｂ)は、同じく装着アタッチメントの側面視説明図、
図４(ａ)は、図３(ｂ)に示す装着アタッチメントの平面視説明図、図４(ｂ)は、表示部材に取り付けた状態の装着アタッチメントを示す平面視拡大説明図である。
【００４５】
図５は、表示部材セットを構成する表示部材と取付ベースを示し、表示部材を取付ベースに取り付けた状態を表す斜視説明図、
図６は、取付ベースを示す拡大斜視説明図で、取付対象である表示部材を想像線で表している。
【００４６】
図１に示すように、表示部材セットＡは、先端部が平たく閉じられたやや扁平な略筒状体で構成された表示部材１と、表示部材１を着脱可能に取り付けできる取付ベース２と、表示体である表示パネル３を上記表示部材１に取り付けるための装着アタッチメント４と、から主に構成されている。図１で符号Ｌは設置面を示している。  
以下、表示部材セットＡの各構成部材について、順を追って詳しく説明する。
【００４７】
（表示部材１）
図５に示す表示部材１は、図６に示すように、基端部に長円形状(長孔状）の開口部である基部側開口１０（底部側開口）を備え、後述する図１１(ｂ)に示すように、表示部材１の厚み（表側部１１と裏側部１２の距離）が先部側に向かって次第に薄くなるように、側面視で二等辺三角形状に形成されている。
【００４８】
図５に示すように、表示部材１は、その先端側の幅方向の両端部分が外縁方向に丸みをつけて形成されている。また表示部材１の先部側の端縁部分と幅方向の両側の端縁部分も（図４(ｂ)に示す断面も参照）、その厚み方向に丸く形成されている。これにより、角張らせて形成した場合と比べ、人が表示部材１にぶつかってもそれほど痛くないので、人が通行するまたは行き交うような場所でも安心して設置できる。
【００４９】
本実施例では、表示部材１の大きさは、図５で横幅（基部側開口１０の長手方向の幅）が約４５ｃｍ、高さが約９０ｃｍ、幅方向の両端部の厚みがそれぞれ約３．０ｃｍ、基部側における幅方向の中央部分（最も膨らんだ部分）の厚みが約１７ｃｍである。表示部材１の大きさは、表示する内容や設置場所等の使用条件によって適宜設定され、上記したものに特に限定されない。
【００５０】
表示部材１は、例えば合成樹脂で一体成形することができる。その場合、表示部材１の素材である合成樹脂の厚みは、例えば３ｍｍ程度のものを好適に採用できる。表示部材１の成形方法としては、熱可塑性樹脂を材料としたブロー成形を採用することもできるし、その他の公知の成形方法が適宜採用できる。また一体成形ではなく、例えば合成樹脂製のシートを折り曲げ、溶着や接着等の接合によって成形することも可能である。
【００５１】
図５に示すように、表示部材１は、表裏面に表示を施すことができる（表示面を構成する）表側部１１と裏側部１２を有している。表側部１１と裏側部１２は周壁を構成する。表側部１１と裏側部１２には、印刷、シールあるいは手書き等によって、例えば商品の広告や店の宣伝（呼び込み）、あるいは土地の販売であれば「売地」等の表示を施すことができる。図１では、その一例として「売家」の文字と不動産の連絡先を表示した場合を図示している。
【００５２】
表示部材１は、幅方向の両側縁に被装着部である曲部１３を有している。図１に示すように、この曲部１３の高さ方向と、表示部材１の先端縁１４側の幅方向の所要の位置に（表示部材１の周縁部の一部）に、図２に示す装着アタッチメント４を嵌め込んで装着することができる。以下、この表示部材１の装着アタッチメント４を装着する部分（被装着部）を「アタッチメント被装着部１５」といい、図５では符号１３、１４の後に括弧を付して表している。このように、アタッチメント被装着部１５は、表側部１１と裏側部１２の周りに沿って連続的に設けられている。なお、アタッチメント被装着部１５を表側部１１と裏側部１２の周りに沿って断続的に設けることもできる。
【００５３】
装着アタッチメント４には、例えば板状の表示パネル３を取り付けることができる。本実施例では、表示パネル３に「優良物件１００坪」や「即入居可」等を表示した場合を図示している。使用する表示パネル３の厚みは限定されず、例えば５ｍｍ程度のものが好適に使用できる。
【００５４】
表示パネル３の素材は特に限定するものではない。例えば発泡ポリスチレン等の発泡合成樹脂製のパネルが好適に使用でき、それによって表示パネル３の軽量化を図ることができる。更には、発泡合成樹脂以外のプラスチック板、木板、段ボール紙や厚紙等の紙製の板体、あるいは軽量金属板やそれらの素材を組み合わせたもの等や、その他の材料で形成することもできる。     
【００５５】
表示部材１のアタッチメント被装着部１５には、装着した装着アタッチメント４（具体的には、後述する装着アタッチメント４の掛止部４１）が係合する掛止凹部である掛止溝１５１を有している。掛止溝１５１は、装着アタッチメント４の取付位置を変えることができるように、表示部材１の曲部１３の高さ方向と、先部側の幅方向に沿って連続的に設けられている。即ち、掛止溝１５１は、図４(ｂ)に示すように表側部１１と裏側部１２に対向するように、基部側開口１０側（図５参照）を除く表示部材１の周縁側に連続的に設けられている。
【００５６】
図４(ｂ)に示すように、本実施例では掛止溝１５１の断面は半円弧状である。この形状は、装着アタッチメント４の掛止部の形状に対応させて適宜設定でき、例えば断面略「コ」状や他の形状に形成することもできる。
【００５７】
また表示部材１は、正面視（図１参照）で幅方向の長さが先部側に向かってやや狭くなるように、全体として先部側に向かってややすぼまって形成されている。そして、後述するように、基部側開口１０をやや拡げて取付ベース２に取り付けた状態では、基部側開口１０が少し膨らんで基部側の幅方向の長さが多少短くなることで、先部側の幅方向の長さとほぼ等しくなるように設定されている。
【００５８】
これにより、表示部材１を正面視で見た際に、表側部１１または裏側部１２が略長方形状に見えるようにすると共に、表示部材１を上方から見下ろした際に基部側が細く見えてしまうことを防止するといったデザイン上の効果が得られるようにしている。なお、取り付け後においても、表示部材１が先部側に向かってすぼまるように形成した場合は、取付ベース２に対する表示部材１の安定性がより向上するという効果が期待できる。
【００５９】
更に表示部材１は、素材自体が有する自己形状保持力（自己弾性力）によって、一旦拡げた基部側開口１０を元の大きさに閉じようとする自己閉鎖性を有している。
【００６０】
また図６に示すように、表側部１１及び裏側部１２の基部側（底部側）には、その中央部分に円形または円形状の孔で構成された係合要素である差込孔１１５ａ，１１５ｂが所要数（本実施例では、表側部１１及び裏側部１２それぞれに二箇所、合計四箇所）が向かい合わせに配置されている。差込孔１１５ａ，１１５ｂには、後述する取付ベース２２の係止要素（係止部または係止突部）である係止突起２１５ａ，２１５ｂが、表側部１１と裏側部１２（基部側開口１０）を外方に拡げるように内方から差し込まれる（図５も参照）。
【００６１】
（装着アタッチメント４）
図１及び図２(ａ)(ｂ)に示すように、装着アタッチメント４は、上記した表示部材１のアタッチメント被装着部１５に嵌め込んで装着できる嵌込部を構成するアタッチメント本体４２を備えている。アタッチメント本体４２は、図４(ａ)(ｂ)に示すように、アタッチメント被装着部１５に嵌め込むことができるように、断面略Ｃ形状に形成されている。そして、このアタッチメント本体４２の内周面側（内方）の凹部である嵌合凹部４２１にアタッチメント被装着部１５が嵌め込まれる。                            
【００６２】
装着アタッチメント４は、合成樹脂で一体成形して形成することができる（後述する金属製の薄板バネ４４を除く）。本実施例では、装着アタッチメント４の大きさは、長手方向の長さが約１５ｃｍ、幅が約４ｃｍ（取り付ける前の状態）である。これに対し、表示部材１のアタッチメント被装着部１５の厚みは上記したように約３ｃｍである。なお、装着アタッチメント４の大きさは、取付対象である表示パネル３の大きさ等に応じて適宜設定できる。
【００６３】
図２(ａ)に示すように、アタッチメント本体４２の背面側（嵌合凹部の反対側）に、表示パネル３を着脱可能に取り付けるための表示体受部４３が設けてある。表示体受部４３は、所要間隔をおいて並設された所要数（本実施例では複数、二本）の嵌合片４３１によって構成され、一対の嵌合片４３１，４３１の間には表示パネル３を差し込むことができる隙間で構成される差込部である差込溝４３２が設けてある。表示体受部４３は、アタッチメント本体４２の長手方向の両端側の二箇所に所要間隔をおいて設けてある。
【００６４】
更に図４(ａ)に示すように、上記表示体受部４３を構成する嵌合片４３１，４３１の内側面には、差し込んた表示パネル３の表面に掛止してまたは引っ掛かって、表示パネル３の脱着を防止するための掛止部である掛止突条部４３３が向かい合うようにして対で設けてある。
【００６５】
このような構成により、図１に示すように、表示パネル３を装着アタッチメント４に取り付ける場合には、表示パネル３を表示体受部４３の差込溝４３２に差し込めば良い。そして、一旦差し込んだ表示パネル３は、上記掛止突条部４３３によって両側面側から掛止されるので、多少の強い風や雨を受けても容易には外れにくい。
【００６６】
特に表示パネル３が発泡ポリスチレン等といった可撓性または変形性を有する素材の場合、やや肉厚の表示パネル３を押し込んで入れることにより、掛止突条部４３３が表示パネル３の側面に食い込んで、容易に外れにくい。
【００６７】
なお、表示パネル３を着脱式ではなく、ネジやビス等の締付固定具（図示せず）を用いて装着アタッチメント４に予め固定しても良い。固定式とすることで、暴風雨などの悪天候の際でも外れにくい。固定式を採用する場合、表示パネル３に文字等の表示を直接印刷しても良いが、別途印刷したシールを表示パネル３に貼るようにし、表示を変更したいときに、適宜シールを貼り替えるようにしても良い。なお、上記した掛止突条部４３３を省略することもできる。
【００６８】
図４(ｂ)に示すように、アタッチメント本体４２は、表示部材１のアタッチメント被装着部１５に装着したときに、アタッチメント被装着部１５を挟持する方向に付勢力が生じるように形成された掛止部４１,４１を有している。図２(ｂ)及び図４(ａ)に示すように、この掛止部４１，４１は、アタッチメント本体４２の嵌合凹部４２１の先部側（アタッチメント本体４２の内周面の先端側）に、装着アタッチメント４の長さ方向に沿って設けられた爪部材で構成されている。  
【００６９】
更に、図２及び図３に示すように、アタッチメント本体４２の外周面には、付勢手段である略Ｕ字状のバネ４４が表面から本質的に張り出さないように溝（符号省略）に嵌め込んで設けてある。本実施例では、金属製の薄板バネ４４を使用している。バネ４４は、長手方向に所要の間隔をおいて所要数（本実施例では複数、２箇所）に設けてある。なお、後述する実施例２（図１３(ａ)参照）のように、アタッチメント本体４２の外周面ではなく、内周面に設けても良い。また、薄板バネ４４以外の他の形状のバネ４４を採用しても良い。
【００７０】
アタッチメント本体４２において、嵌合凹部４２１を挟む掛止部間の距離は約２ｃｍである。つまり、図４(ｂ)に示すように、アタッチメント被装着部１５の厚み（約３ｃｍ）よりも狭くなっている。よって、図４(ａ)(ｂ)に示すように、装着時には、アタッチメント被装着部１５に装着アタッチメント４をやや力を入れて押し込めば、バネ４４の付勢力に抗して掛止部の間隔が拡がり、掛止部がアタッチメント被装着部１５の掛止溝１５１に嵌り込む。
【００７１】
これにより、装着アタッチメント４が表示部材１に確実に装着され、掛止部４１，４１が掛止溝１５１から外れるように、やや力を入れて意図的に外さない限り（単に風が吹いたり人が接触しただけでは）、装着アタッチメント４が表示部材１から簡単には外れないようになっている。
【００７２】
更に上記したバネ４４を使用せずに、装着アタッチメント４の素材自体が有する自己形状保持力（自己弾性力）だけで、掛止部４１，４１に付勢力が生じるように形成することもできる。
【００７３】
また図１にそれぞれ示すように、表示部材１に取り付けた一つの装着アタッチメント４に対して一つ表示パネル３を取り付けても良いし、例えば高さ方向に所要間隔をおいて並べて取り付けた二つの装着アタッチメント４,４に対して一つ表示パネル３を取り付けるようにしても良い。また表示面積が広い表示パネル３の場合は、装着アタッチメント４を三つ以上使用することもできる。
【００７４】
更に図２(ａ)に示すように、本実施例では、表示パネル３を差し入れる表示体受部４３を装着アタッチメント４の背面側に一箇所ずつ設けている。ただし、特にその位置と数に限定するものではなく、アタッチメント本体４２における外周面のどの方向に向けて設けても良く、またその数も二以上（複数）であっても良い。表示体受部４３を様々な方向で設けることにより、図１のように表示部材１の表側面と同じ方向だけでなく、斜めにあるいは直角等といった様々な方向に向けて表示パネル３を設置することができる。
【００７５】
また表示部材１に設けてあるアタッチメント被装着部１５の掛止溝１５１は、上記したように表示部材１の先端側及び側縁部に連続的に設けてあるので、やや力を入れてスライドさせることによって、装着アタッチメント４を掛止溝１５１に沿って移動させることができる。これについての詳しい作用は、後述する。
【００７６】
（取付ベース２）
図７は、図６に示す取付ベース２のI−I部分に対応する断面を示す説明図、
図８は、図７に示す取付ベース２を上下二つ重ねた状態を示す断面説明図であり、重ねた上側の取付ベース２を一点鎖線で示している。
図９は、同じく図８に示す取付ベース２を上下二つ重ねた状態を示す断面説明図であり、図６のII−II部分に対応する断面を示す説明図である。なお、図８と同様、上側の取付ベース２を一点鎖線で示している。
図５ないし図９を主に参照して、取付ベース２について説明する。
【００７７】
図６に示すように、取付ベース２は、平面視略方形状で所要の厚みを有する基体２０と、基体２０の表面部６１１に取り付けられた係止部材２１，２１を有している。係止部材２１，２１は、表面部６１１に設けてある中央の孔６１２を間に挟むようにしてその両側にそれぞれ設けてある。
【００７８】
図５に示すように、表示部材１の表側部１１及び裏側部１２には、円形または円形状の差込孔１１５ａ，１１５ｂがそれぞれ設けてある。取付ベース２の上記した各係止部材２１ｂ，２１ｂの所要の位置には、係合突起２１５ａ，２１５ｂが設けてある。この各係合突起２１５ａ，２１５ｂに表示部材１の差込孔１１５ａ，１１５ｂを係合させる（差し込む）ことで、表示部材１を取付ベース２に取り付けることができる。
【００７９】
なお、一方の係止部材２１の係合突起２１５ａ，２１５ｂと、他方の係止部材２１の係合突起２１５ａ，２１５ｂの間の距離は、表示部材１の表側部１１と裏側部１２の間の距離よりもやや広く設定されている。これについての作用は、後述する。
【００８０】
係止部材２１，２１は合成樹脂で形成されている。係止部材２１，２１は、その他の材料、例えば木製、紙製、あるいは金属製の材料で形成することもできる。各係止部材２１，２１は、係合突起２１５ａ，２１５ｂと係合突起２１５ａ，２１５ｂを互いに外方に向けた状態で配置されている。
【００８１】
各係止部材２１は、係合突起２１５ａ，２１５ｂを備えた側壁部２８を有している。係合突起２１５ａ，２１５ｂは、側壁部２８の外側（外側面）の上部寄りに設けてある。
係合突起２１５ａ，２１５ｂは、表示部材１の差込孔１１５ａ，１１５ｂに対応するように、図６で側壁部２８の横方向（長さ方向）に所要の間隔をおいて二箇所並設されている。符号２７２は、係止部材２１の強度を向上させるためのリブを示している。
【００８２】
係止部材２１，２１の底板２７（図７も参照）には、ネジやビス等の締付固定具用の孔２７１が所要数設けてある。本実施例では、一つの係止部材２１につき、孔２７１が二箇所設けてある。
【００８３】
取付ベース２の基体２０は、合成樹脂によって一体成形することができる（ただし、後述する蓋６１７は別途成形）。基体２０は、図７及び図９に示すように、底面側中央に底面側から表面部９１１へ向けて凹ませてある収容凹部６１３を有している。収容凹部６１３は、底面側から表面部６１１に向かってすぼまるように断面山形状に大きく凹ませてある。
【００８４】
取付ベース２は、表示部材１の転倒を防止するために、内部に重りのための水等の液体または砂などの流動性固体を入れるまたは充填できる空所２００（図７、図９参照）を有している。詳しくは、取付ベース２を構成する基体２０が、内部に水や砂等を入れることができる空所である流体収容部２００を有している。流体収容部２００は、基体２０の内部が中空に形成されることで構成されている。
【００８５】
つまり、流体収容部２００に充填する水や砂の量によって、取付ベース２の重量を適宜調整できる。したがって、例えば車で移動しなければならないような場所に表示装置を設置するようなときには、その設置現場において水や砂を充填するようにすれば、運搬時の取付ベース２が重くならずに、より多くの取付ベース２を表示部材１と共に車に積むことができ、また保管時等の取扱いも容易である。
【００８６】
図６で示す符号６１８は、水や砂等を流体収容部２００に入れたり排出したりする開口部を備えた蓋６１７付きの流体充填部を備えている。流体充填部６１８は、基体２０の外へ出っ張らないように、基体２０側面の一部を内側に凹ませた凹部６１９に配置されている。
【００８７】
なお、蓋６１７付きの流体充填部の位置は、特に限定するものではなく、取付ベース２の上面側である表面部６１１（表面部６１１の中央寄りまたは外寄りを問わない）に設けることもできる。取付ベース２の上面側に設ける場合の方が、側面側に設ける場合と比べて、充填した水等が漏れにしくいという利点がある。
【００８８】
そして、図８及び図９に示すように、取付ベース２は複数積み重ねできるように構成されており、積み重ねた場合に上の取付ベース２（基体２０）の収容凹部６１３に、下の取付ベース２の係止部材２１，２１が収まるようになっている。このような構成により、例えば風の影響を受ける屋外で設置する場合には、取付ベース２を複数重ねて土台の重量を増し、表示部材１の安定性を向上させることができる。
【００８９】
なお、重ねる取付ベース２の数は、図示の２個に限定されるものではなく、３個以上重ねることができることは言うまでもない。また、複数重ねた取付ベース２の安定性を向上させるため、取付ベース２同士を紐やその他の固定具で連結することもできる。その場合は、例えば図８で左右両端に示す打ち付け部材用の孔６２０，６２０を利用し、この孔６２０,６２０に紐を通して固く結んだり、固定具を差し込んで固定することで、取付ベース２同士を連結することができる。
【００９０】
更に、基体２０の表面側と底面側には、取付ベース２を上下積み重ねた際に本質的に基体２０の位置がずれないようにするための手段が設けてある。即ち、図６に示す基体２０の表面部６１１の所要の位置に、基体２０の底面部６１４に設けてある凹み６１５に合致する係止部である突部６１６が形成されている。
【００９１】
突部６１６は、平面視円形で球面状に形成されているが、特にこの形状に限定するものではない。なお、突部６１６は所要数（本実施例では複数、孔６１２を間に挟むようにして両側に二箇所）設けてあり、取付ベース２に取り付けた後の表示部材１の内部に収まって外から隠れる位置にある。この取付ベース２の位置が本質的にずれないようにするための手段は、他の公知技術を適宜採用することができる。
【００９２】
図７に示すように、係止部材２１，２１は、ネジやビス等の締付固定具２７０によって基体２０の底部側（収容凹部６１３の先部面側）から固着されている。
【００９３】
また図６に示すように、基体２０の表面部６１１における各係止部材２１の取付位置には、各係止部材２１が取り付けられる向きに沿うようにして設けられた突条部６００が複数並設されている。取付ベース２の組み立て製造時においては、この突条部６００の上から係止部材２１を取り付けることで、突条部６００が各係止部材２１の凹部２７３（実施例９、図１４参照）内に嵌り込む。これによって、係止部材２１の取り付け向きがずれること防止している。
【００９４】
図７に示すように、基体２０の両端側（図６も参照）には、接地面に対する固定手段であって打ち付け部材である杭やアンカー等（図示せず）を差し入れる孔６２０，６２０が設けてある。本実施例では、孔６２０が対向して配置されるように基体２０の角部に所要数（本実施例では複数、合計二箇所）に設けてあるが、特にこの数や位置に限定されない。
【００９５】
孔６２０は、内側に凹んだ基体２０の角部の残部片６２１に形成された貫通孔で構成されている。このように、内側に凹ませた部分に孔６２０を設けることにより、打ち付け部材が基体２０の外に出っ張ることを防止している。この孔６２０にゴムや柔軟性を有する合成樹脂製のリング（図示せず）を取り付けて、孔６２０の破損を防止することもできる。
【００９６】
底面部６１４において、基体２０の四隅部分には小さ目の凹み６２２が形成されている。そして、底面部６１４が直接接地面に接触しないように、この凹み６２２にゴムや柔軟性を有する合成樹脂製でチップ状の接地具（図示省略）を取り付けることもできる。またこの凹み６２２を利用したり、別途新たに取り付け孔を設けてキャスター（図示省略）を取り付けるようにしても良い。
【００９７】
基体２０の中央の孔６１２には、電球や蛍光灯等の各種の照明手段である照明装置（図示省略）を取り付けることができる。また底面部６１４には収容凹部６１３を中心として十字状に形成された溝６２３が設けてあり、照明装置を取り付けた際に配線を外に引き出すための案内溝として使用できる。
【００９８】
照明装置を取り付ける場合は、表示部材１（後述する表示シートを取り付ける場合は、表示シート１００の全体または一部）を透光性を有する素材で形成すれば良い。このようにすれば、薄暗い設置場所や夜間での設置に効果的であり、遠くからでも表示装置Ａ１８の位置を特定しやすい。よって、夜間営業する店の立て看板として、あるいは交通整理用の案内標識として好適である。なお、照明装置は基体２０側だけでなく、表示部材１側またはその両方に取り付けても良い。
【００９９】
なお、差込孔１１５ａと係合孔１１５ｂの間には、取付ベース２から表示部材１を取り外す際に指やフック等を引っ掛けるための孔（図示省略）を設けることもできる。
【０１００】
（表示シート）
図１０は、図５に示す表示部材に表示シートを被せている状態を示す斜視説明図である。
図１０に示すように、表示部材１には、外側（表裏面）に表示面１０１を備えた表示シート１００を先端側から着脱可能に被せることができる。表示シート１００は、先端部が閉じられて袋状に形成されており、基端部に開口部１０２を有している。表示シート１００はその先端側の幅方向の両端部分がやや丸みをつけて形成されている。なお、その両端部分をやや角張らして形成しても良い。
【０１０１】
表示シート１００の材料として、例えば耐水性を有する合成樹脂製シートを採用することができる。表示シート１００は、表示部材１に被せた際に、シート表面に皺が形成されることを防止できるように、ややきつく嵌め込んで密着できるような大きさで形成することができる。またややきつく嵌め込んで密着させれば、暴風雨などの悪天候の際でも外れにくいという効果もある。
【０１０２】
そして、ややきつく密着するように形成した場合、表示シート１００を円滑に被せることができるようにするために、例えば接触面である少なくとも内面が滑りの良い平滑な面となるような柔軟性を有する合成樹脂製シートをその素材として使用することができる。
【０１０３】
更に、本実施例では、上記したように表示部材１の先端側の幅方向の両端部分がやや丸みをつけて形成されている。このような構成により、仮に上記両端部分を角張らせて形成した場合と比べて、被せる際に、表示シート１００がその角張った両端部分に引っ掛かることを防止して表示部材１に円滑（スムーズ）に被せることができる。
【０１０４】
更に、表示部材１に設けてあるアタッチメント被装着部１５の掛止溝１５１は、被せた表示シート１００を取り外す際に、表示シート１００の内周面基部側から先部側に空気が抜ける空気流通路として作用する。
即ち、表示シート１００は先端部が閉じられているため、表示シート１００を表示部材１にきつく密着させて被せることができる大きさで形成した場合、表示シート１００を先部側に単に引っ張っても、空気圧の関係で表示部材１の表面と表示シート１００の内面とが隙間なくぴったりと密着してしまい、容易には外れない恐れがある。このため、かなりの力で強く引っ張らないと外れない場合があるが、無理に引っ張ってしまうと表示シート１００が縦に伸びきってしまい、再使用できないといった不都合が生じる場合がある。
しかしながら、本実施例では、上記した掛止溝１５１が空気流通路として作用するので、表示シート１００を先部側へ引っ張ると、空気が掛止溝１５１を通って内周面基部側から先部側に抜けるため、比較的容易に取り外すことができ、上記した不都合は生じにくい。
【０１０５】
また、表示シート１００の先部側を開口させて、全体を筒状または管状に形成することもできる。これにより、表示シート１００がより被せやすくなる。また、材料費を抑えて製品のコストダウンを図ることができる。
【０１０６】
そして、表示シート１００の表示面１０１に、例えば商品の広告や店の宣伝（呼び込み）、または土地販売であれば「売地」等の各種表示を施すことができる。更にこの表示を印刷技術（例えばグラビア印刷等）によって行えば、文字やイラスト等の多種多様の表示を容易に施すことができる。
【０１０７】
このように、表示部材１にではなく、表示部材１に被せる表示シート１００側に各種の表示を施すようにすれば、表示シート１００を取り換えるだけで、同じ表示部材１を繰り返して使用することができる。
【０１０８】
具体的な使用例を挙げると、国際会議場などにおける各種イベント会場の出入口等に案内表示として本実施例の表示装置Ａ１８を置き、各種イベントに応じて表示内容の異なる表示シート１００をその都度被せるようにすれば、同じ表示部材１を繰り返して使用することができる。
また、コンビニエンスストアや電化製品販売店等において、セール品やタイムセールの商品の内容に応じて臨機応変に表示シート１００を適宜取り換えるような使い方も採用できる。
【０１０９】
更に、合成樹脂製の表示部材１に表示シート１００を被せることで、太陽紫外線による表示部材１の素材劣化を防止できるようにすれば、表示部材１を屋外で長期的に使用しやすくなる。
【０１１０】
また表示部材１の内部に照明装置を取り付ける場合は、表示シート１００に施したイラストの一部や文字だけを透光性を有する素材で形成し、そこから光を部分的に発するようにすれば、昼間でも表示部材１や施された文字が目立ちやすくい。更に、取付ベース２を利用せずに、表示部材１だけを壁面に取り付けて看板として利用することもできるし、照明手段を利用すれば、提灯看板のような使い方もできる。
【０１１１】
図１１は、取付ベースに取り付けた表示部材をフラワースタンドとして使用した場合を示す説明図であり、図１１(ａ)はその正面視説明図、図１１(ｂ)はその側面視説明図である。
図５で示した表示部材１及び取付ベース２は、図１１に示すように、フラワースタンド(花立てスタンド)としても使用することができる。例えば、表示部材１の表側部１１または／及び裏側部１２に吊下具用の孔１１６（図１１(ｂ)で丸で囲んた部分拡大図を参照）を所要数設け、その孔１１６にフックやハンガー等の吊下具１６を備えた植木鉢Ｂを着脱可能に取り付けることができる。なお、吊下具を取り付ける手段は、上記孔に限らず、リング等のその他の引掛部を適宜採用できる。
【０１１２】
また図２に示した表示パネル３の装着アタッチメント４を使用して、表示パネル３に「街をきれいに」等の文字を表記することにより、環境美化の推進に好適な表示装置として好適に使用できる。
【０１１３】
（作  用）
本実施例に係る表示部材セットＡは、次のように作用する。
なお、図１に示すように、屋外に表示部材セットＡを設置する場合を例に挙げて、その作用を説明する。また以下に示す作業手順は一つの例を示しており、特にこの手順に限定するものではない。
【０１１４】
表示部材１は、取付ベース２に着脱可能に取り付けできる。よって、例えば設置現場まで車で移動する場合には、表示部材１を取付ベース２から取り外した状態で別々に搬送する。このようにすれば、収容スペースが限らせた車（例えばセダン）のトランクでも、多くの表示部材１を積み込むことができる。
【０１１５】
設置現場についたら、図６に示す取付ベース２の蓋６１７を外して水や砂などを充填し、必要に応じて杭やアンカー等で固定する。
【０１１６】
次に、取付ベース２に表示部材１を取り付ける。即ち、例えば表示部材１の両側を持って、基部側開口１０側（底部側）を取付ベース２の各係止部材２１，２１の上方から嵌め込み、各係止部材２１，２１の係止突起２１５ａ，２１５ｂに表側部１１及び裏側部１２の各差込孔１１５ａ，１１５ｂを嵌め込む。
【０１１７】
上記したように、一方の係止部材２１の係合突起２１５ａ，２１５ｂと、他方の係止部材２１の係合突起２１５ａ，２１５ｂの間の距離は、表示部材１の表側部１１と裏側部１２の間の距離よりもやや広く設定されている。したがって、取り付け後の表示部材１には、基部側開口を閉じようとする力（自己閉鎖性）が働き、表示部材１の底部側内方部分で係止部材２１を外方から締め付けたような状態となる。その結果、表示部材１は、取付ベース２に強固に取り付けられて起立状態を保持し、多少の強い風や雨を受けても外れることはない。
【０１１８】
つまり、アタッチメント本体４２は、自己の形状保持力または／及び付勢手段によって上記アタッチメント被装着部１５を挟持または把持する方向に力が作用することで、表示部材１に対する装着アタッチメント４の装着が維持されるように構成されている。
【０１１９】
なお、表示部材１は、上記したように基部側開口１０を閉じようとする自己閉鎖性を有していることがより好ましいが、取付部材２から容易に外れないようであれば、必ずしも自己閉鎖性を有している必要はない。また、表示部材１が取付ベース２から容易に外れないように、係止部材２１の係合突起２１５ａ，２１５ｂの所要の位置に、表示部材１の差込孔１１５ａ，１１５ｂの内縁部に掛止または引っ掛かる溝や切欠部等を形成することもできる。
【０１２０】
次に、装着アタッチメント４を使用して、表示パネル３を表示部材１に取り付ける。即ち、まず図２(ａ)に示す装着アタッチメント４を表示部材１に装着する。詳しくは、表示部材１のアタッチメント被装着部１５に装着アタッチメント４を押し込んで嵌め込み、続いて装着アタッチメント４に表示パネル３を差し入れて取り付ける。
【０１２１】
上記したように、装着アタッチメント４のアタッチメント本体４２にはバネ４４が設けてあり、そのバネ４４の付勢力によって掛止部がアタッチメント被装着部１５を挟持する方向に力が働く。よって、一旦、装着アタッチメント４を装着すれば、掛止部が掛止溝１５１から外れる位置まで両側に開かないと、装着アタッチメント４は容易に外れない。したがって、単に一方向から強風が吹いたり、人や車がぶつかったりしても、表示部材１から装着アタッチメント４が容易に外れることはない。よって、例えば車や人が行き交う一般の道路でも、表示パネル３が取り付けられた表示部材１を安全に設置できる。
【０１２２】
なお、表示パネル３も装着アタッチメント４から簡単に外れないようにするためには、上記したようにネジやビス等の締付固定具によって固定することが望ましい。ただし、表示パネル３を発泡ポリスチレン等の軽い素材によって形成すれば、万一、暴風雨等によって外れたとしても、重大事故のような大きな危険は生じにくい。
【０１２３】
更に上記したように、装着アタッチメント４は、やや力を入れてスライドさせることで、表示部材１のアタッチメント被装着部１５の掛止溝１５１に沿って移動させることができる。即ち、装着アタッチメント４は、表示部材１に対する固定位置を変えることができるように、上記アタッチメント被装着部１５の所要の位置に着脱可能に固定することができる。このような構成により、表示部材１の設置場所などに応じて、現場で表示パネル３の取付位置を適宜調整できる。
【０１２４】
したがって、仮に設置した表示部材１の表示板の前に、ガードレールや歩道境界用のブロック等といった障害物があった場合には、装着アタッチメント４をスライドさせて、表示パネル３を見える位置に移動させれば良い。これにより、表示部材１を設置できるスペースが限られた場所でも、表示部材１の設置場所を移動せずに、表示パネル３を隠れないように効果的に表示することができる。
【０１２５】
また更に、表示部材１の表面が雨で濡れたときなどは、表示部材１を摘もうとしても手が滑って持ち運びが困難な場合があり得る。そのような場合は、表示部材１に装着アタッチメント４を取り付けておけば、装着アタッチメント４が持ち運ぶ際の把手として使用することができる。
【０１２６】
なお、装着アタッチメント４を表示部材１から取り外すことなく、高さ方向から先部側にスライドできるように、装着アタッチメント４の長手方向の長さを小さく設計して製造することもできる。
【０１２７】
また本実施例では、断面楕円形状の表示部材１を例として挙げているが、その断面形状が円形状、長方形状、正方形状、三角形状、あるいはその他の多角形や異形状（不規則な形状）の表示部材を採用することもできる。更に、軽量化を図るため表示部材１を中空状に形成しているが、中実に形成することもできる。
【実施例２】
【０１２８】
図１２ないし図１４は、本発明に係る表示部材セットの第２の実施例を説明するための図である。
図１２は、表示部材セットの使用状態を示す正面視説明図、
図１３(ａ)(ｂ)は、図１２に示す表示部材セットを構成する装着アタッチメントの斜視説明図、
図１４(ａ)は、図１３(ａ)に示す装着アタッチメントの正面視説明図、図１４(ｂ)は、同じく装着アタッチメントの側面視説明図、図１４(ｃ)は、装着アタッチメントの平面視説明図である。
【０１２９】
なお、実施例１と同一または同等箇所には同一の符号を付して示している。また、実施例１で説明した箇所については、説明を省略し、主に相異点を説明する。これについては、後述する実施例３についても同じである。
【０１３０】
本実施例では、実施例１と装着アタッチメント４ａの構造が相違している。即ち、図１３に示すように、図２に示す装着アタッチメント４と相違して、表示パネル３を着脱可能に取り付けるための表示体受部４３ａがアタッチメント本体４２の長手方向全体にわたって連続的に設けられている。これにより、表示パネル３に対する接触面積を広くして、表示パネルが容易に外れないようにしている。
【０１３１】
また上記したように、付勢手段である略Ｕ字状のバネ４４ａが、アタッチメント本体４２の外周面ではなく、内周面に設けてある。
【実施例３】
【０１３２】
図１５ないし図１６は、本発明に係る表示部材セットを構成する装着アタッチメントの他の実施例を説明するための図である。
図１５(ａ)(ｂ)は、装着アタッチメントの斜視説明図、
図１６(ａ)は、図１５(ａ)に示す装着アタッチメントの側面視縮小説明図であり、装着アタッチメントに取り付けた表示体である表示パネルシートを一点鎖線で表している。
図１６(ｂ)は、図１６(ａ)に示す装着アタッチメントを上方から見た状態を示す拡大説明図である。
【０１３３】
本実施例では、図２に示す実施例１と、装着アタッチメント４ｂの構造が異なっており、それに対応するように取付対象である表示パネルシート３ｂの形状が異なっている。
【０１３４】
（表示パネルシート）
まず、表示パネルシート３ｂについて説明する。
図１６(ａ)(ｂ)に示す本実施例では、発泡合成樹脂で形成した実施例１の表示パネル３（図１参照）と相違して、厚みが例えば１〜２ｍｍ程度の薄い表示パネルシート３ｂを使用している。表示パネルシート３ｂは、柔軟性、可撓性または変形性を有する素材で形成されている。この素材としては、合成樹脂製のシートが好適に使用できる。
【０１３５】
なお、木板、段ボール紙や厚紙等の紙製の板体、あるいは軽量金属板やそれらの素材を組み合わせたもの等や、その他の材料で形成することもできる。また表示パネルシート３ｂの厚みや大きさは特に限定されない。
【０１３６】
このように、厚みの薄い表示パネルシート３ｂを使用することで風に対する抵抗を減らし、暴風雨などの悪天候の際でも容易に外れないようにしている。また厚みが薄いことで、複数重ねても嵩張らないため、運搬や保管等の取扱いが容易である。
【０１３７】
図１６(ａ)に示すように、表示パネルシート３ｂの所要の位置には、装着アタッチメントの後述する嵌合孔４５に差し入れて嵌合させる差込片３１が設けてある。本実施例では、差込片３１は長手方向の一辺部の略中央部分に設けてあり、基部の両側縁を内側へ切り欠くようにして凹ませた掛止凹部３１１を有している。これにより、掛止凹部３１１の先部側は両側にやや張り出して掛止部３１２を構成している。
【０１３８】
更に、上記したように、表示パネルシート３ｂは柔軟性、可撓性または変形性を有する素材で形成されているため、表示パネルシート３ｂの長手方向の中央部分でやや湾曲させることにより、差込片３１も同様に弓形状に変形する。
【０１３９】
（装着アタッチメント）
本実施例では表示体として、上記した厚みの薄い表示パネルシート３ｂを採用しており、表示パネルシート３ｂの差込片３１の形状に対応させた構造となっている。即ち、図１５(ａ)及び図１６(ｂ)に示すように、所要間隔をおいて配置された表示体受部４３の間のアタッチメント本体４２に、表示パネルシート３ｂの差込片３１を差し入れることができる嵌合孔４５が設けてある。嵌合孔４５は、図１６(ｂ)に示す平面視で横長の楕円形状または長孔状に形成され、差込片３１を差し込みやすくなっている。
【０１４０】
装着アタッチメントの嵌合孔４５の長手方向の長さは、表示パネルシート３ｂに設けてある差込片３１の長手方向の長さ（掛止片を含む最も長い部分）よりも狭くなっている。
【０１４１】
以上のような構成により、図１６(ａ)に示すように、実際に表示パネルシート３ｂを装着アタッチメント４ｂに取り付ける際は、まず、差込片３１の両側部分を表示体受部４３の差込溝４３２に嵌め入れる。
【０１４２】
次に、表示パネルシート３ｂの長手方向の中央部分を湾曲させることで、差込片３１を同様に弓形状に変形させる。そして、その状態を維持しながら、差込片３１を図１６(ｂ)に示す嵌合孔４５に押し込んで嵌め入れる。その後は、表示パネルシート３ｂから手を離して元の形状に復帰させれば、差込片３１の掛止部３１２が嵌合孔４５の両端部の内縁に掛止されて、表示パネルシート３ｂを再び湾曲させない限り、表示パネルシート３ｂが装着アタッチメントから外れることはない。
【０１４３】
更に、図６(ｂ)に示すように、表示体受部４３，４３の一対の嵌合片４３１,４３１の各内側面には、各表示体受部４３の高さ方向に沿って掛止突条部４３３ｂが所要数（本実施例では複数、一つの表示体受部４３に対して四箇所）設けてある。この掛止突条部４３３ｂによって表示パネルシート３ｂを両側から挟み込み、容易に外れないようにしている。
【実施例４】
【０１４４】
図１７及び図１８は、本発明に係る表示部材セットを構成する装着アタッチメントの他の実施例を説明するための図である。
図１７(ａ)(ｂ)は、装着アタッチメントの斜視説明図であり、表示体である表示パネルシートの一部を一点鎖線で表している。
図１８(ａ)は、図１７(ａ)に示す装着アタッチメントの側面視縮小説明図であり、装着アタッチメントに取り付けた表示体である表示パネルシートを一点鎖線で表している。
図１８(ｂ)は、図１７(ａ)に示す装着アタッチメントを上方から見た状態を示す拡大説明図である。
【０１４５】
なお、実施例３と同一または同等箇所には同一の符号を付して示している。また、実施例３で説明した箇所については、説明を省略し、主に相異点を説明する。
【０１４６】
本実施例では、図３に示す実施例１と、装着アタッチメント４ｃの構造が異なっており、それに対応するように取付対象である表示パネルシート３ｃの形状が異なっている。
【０１４７】
即ち、図１８(ｂ)に示すように、実施例３の装着アタッチメント４ｂ（図１６(ｂ)参照）と相違して、表示体受部４３，４３の間には嵌合孔４５に相当する孔は形成されていない。ただし、図１７(ａ)及び図１８(ａ)の一点鎖線に示すように、表示パネルシート３ｃの取り付け側に一部を切り欠くようにして形成された嵌合凹部３２が形成されている。そして、嵌合凹部３２の先部側の両側には、内方に突出して形成された一対の掛止片３２１が設けてある。
【０１４８】
そうして、実際に表示パネルシート３ｃを装着アタッチメント４ｃに取り付ける際は、表示パネルシート３ｃを表示体受部４３，４３に差し入れた状態で、表示パネルシート３ｂの長手方向の中央部分でやや湾曲させ、上記した一対の掛止片３２１,３２１を、アタッチメント本体４２の長手方向の両端部の嵌合凹部４２１に嵌め入れて両側から掛止させる（図１８(ａ)も参照）。これにより、表示パネルシート３ｃの差込溝４３２に、装着アタッチメント４ｃが嵌り込んで容易に外れないようになる。
【０１４９】
更に、表示体受部４３,４３を構成する一方の嵌合片４３１の内側面の所要の位置に平面視半円形状の当接部４３４が形成されている。当接部４３４は、図１７(ａ)に示すように、表示体受部４３の高さ方向に沿って設けられた突条部で構成されている。この当接部４３４が、表示体受部４３に差し入れられた表示パネルシート３ｃに側面側から当接することで、表示パネルシート３ｃの一部を湾曲させた状態で掛止し、容易に外れないようにしている。
【実施例５】
【０１５０】
図１９ないし図２１は、本発明に係る表示部材セットの第５の実施例を説明するための図である。
図１９は、表示部材セットの使用状態を示す正面視説明図、
図２０(ａ)(ｂ)は、図１９に示す表示部材セットを構成する装着アタッチメントの斜視説明図、
図２１(ａ)は、図２０(ａ)に示す装着アタッチメントの側面視説明図、図２１(ｂ)は、同じく装着アタッチメントの正面視説明図、図２１(ｃ)は、装着アタッチメントの平面視説明図で掛け渡しバーを一点鎖線で示している。
【０１５１】
なお、実施例１と同一または同等箇所には同一の符号を付して示している。また、実施例１で説明した箇所については、説明を省略し、主に相異点を説明する。
【０１５２】
本実施例に係る装着アタッチメント４ｄは、表示部材１と協働して仕切区域を形成する棒状の連結具（仕切りバー)である掛け渡しバー５を取り付けて使用できる。掛け渡しバー５は、並設される表示部材１，の間に掛け渡すようにして配置することで表示部材１,１と協働して仕切区域を形成する。
【０１５３】
掛け渡しバー５の両端側には、リング状の取付具５１（図２１(ｃ)も参照）がそれぞれ設けてある。そして、この取付具５１を表示部材１に装着した装着アタッチメント４ｄのフック４６に引っ掛けて使用するものである。なお、この掛け渡しバー５は例えば合成樹脂で形成することができ、セーフティコーンと呼ばれる錐形のコーン部材と共に使用される汎用品を使用することもできる。
【０１５４】
フック４６は側面視Ｌ形状に形成されており、アタッチメント本体４２の外周面の所要の位置に取り付けてある。この取付位置は、実施例１の表示体受部４３と同様に、特に限定するものではなく、周面のどの方向に向けて設けても良く、またその数も二以上（複数）であっても良い。
【０１５５】
このように、本実施例に係る装着アタッチメント４ｄを使用することで、表示部材１と共に掛け渡しバー５を用いて仕切区域を容易に形成することができるので、警察や消防などが現場保全を行う際に好適に使用できる。なお、図１９では、「交通事故」の発生に起因して警察が現場検討を行っている様子を例に挙げて図示している。
【０１５６】
また図１９では、実施例２で説明した表示パネル３用の装着アタッチメント４ａを同時に使用することで、「交通事故  検証中」等をいったパネルを掲げ、ドライバーや歩行者に対して二次被害が発生しないように注意を呼びかけている。
【０１５７】
なお、図１９では、同一方向に並べた表示部材１を掛け渡しバー５で連結している状態を例に挙げて図示しているが、例えばマンホールの点検を行う際に、マンホールを表示部材１と掛け渡しバー５で四方から取り囲むようにして設置して使用することもできる。
【０１５８】
更に、実施例１と同様に、装着アタッチメント４ｄは、やや力を入れてスライドさせることで、表示部材１のアタッチメント被装着部１５に沿って移動させることができる。したがって、図１９の想像線で示すように、表示部材１の設置場所などに応じて、現場で掛け渡しバー５の高さ位置を適宜調整できる。
【０１５９】
例えば現場の状況に応じ、子供が乗り越えられない高さ、あるいは子供が下をくぐることができない高さに掛け渡しバー５の位置を適宜調整することができる。また取り付ける掛け渡しバー５の数も、後述する図２２に示すように、表示部材１に対して一つに限らず、上下に複数装着しても良い。
【実施例６】
【０１６０】
図２２及び図２３は、本発明に係る表示部材セットの第６の実施例を説明するための図である。
図２２は、表示部材セットの使用状態を示す正面視説明図、
図２３は、図１９に示す表示部材セットを構成する装着アタッチメントの斜視説明図である。
【０１６１】
なお、実施例５と同一または同等箇所には同一の符号を付して示している。また、実施例１で説明した箇所については、説明を省略し、主に相異点を説明する。
【０１６２】
図２３に示すように、本実施例では、図２１に示す装着アタッチメント４ｄと相違して、掛け渡しバー５ｄが装着アタッチメント４ｅから外れないように取り付けられている。即ち、装着アタッチメント４ｅのアタッチメント本体４２にリング状または側面視略Ｕ字状の取付部４７が設けてあり、この取付部４７にリング状の取付具５１が、取付角度は調整できるが、外れないように予め取り付けられている。
【０１６３】
このような構成により、図１９に示す装着アタッチメント４ｄと相違して、取付装着アタッチメント４ｅを単に上げ下げするだけで、掛け渡しバー５ｄも外れることなく一緒に上下動するので、容易に高さを変えることができ、利便性が高い。
【０１６４】
また、装着アタッチメント４ｅをやや力を加えて移動させれば、比較的容易に上下動させることができるので、図２２に示すように、人が通ることができるように上下の掛け渡しバー５ｄの間隔を広げれば、従来の仕切りテープと同様に、警察官や消防隊などの特定の関係者が現場の中と外を自由に行き来しやすい。
【０１６５】
更には、素材が細く薄いシート状の仕切テープとは相違して、掛け渡しバー５１は風になびいて揺れることもなく、丈夫で耐久性にも富むので、車両の侵入を禁止するようなバリケード的な使用にも好適である。
【０１６６】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１６７】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１６８】
【図１】本発明に係る表示部材セットの第１の実施例を説明するための図であって、表示部材セットの使用状態を示す正面視説明図。
【図２】図２(ａ)(ｂ)は、表示部材セットを構成する装着アタッチメントの斜視説明図。
【図３】図３(ａ)は、図２に示す装着アタッチメントの正面視説明図、図３(ｂ)は、同じく装着アタッチメントの側面視説明図。
【図４】図４(ａ)は、図３(ｂ)に示す装着アタッチメントの平面視説明図、図４(ｂ)は、表示部材に取り付けた状態の装着アタッチメントを示す平面視拡大説明図。
【図５】表示部材セットを構成する表示部材と取付ベースを示し、表示部材を取付ベースに取り付けた状態を表す斜視説明図。
【図６】取付ベースを示す拡大斜視説明図。
【図７】図６に示す取付ベース２のI−I部分に対応する断面を示す説明図。
【図８】図７に示す取付ベース２を上下二つ重ねた状態を示す断面説明図。
【図９】同じく図８に示す取付ベース２を上下二つ重ねた状態を示す断面説明図であり、図６のII−II部分に対応する断面を示す説明図。
【図１０】図５に示す表示部材に表示シートを被せている状態を示す斜視説明図。
【図１１】取付ベースに取り付けた表示部材をフラワースタンドとして使用した場合を示す説明図であり、図１１(ａ)はその正面視説明図、図１１(ｂ)はその側面視説明図。
【図１２】本発明に係る表示部材セットの第２の実施例を説明するための図であり、表示部材セットの使用状態を示す正面視説明図。
【図１３】図１３(ａ)(ｂ)は、図１２に示す表示部材セットを構成する装着アタッチメントの斜視説明図。
【図１４】図１４(ａ)は、図１３(ａ)に示す装着アタッチメントの正面視説明図、図１４(ｂ)は、同じく装着アタッチメントの側面視説明図、図１４(ｃ)は、装着アタッチメントの平面視説明図。
【図１５】図１５(ａ)(ｂ)は本発明に係る表示部材セットを構成する装着アタッチメントの他の実施例を説明するための図であって、装着アタッチメントの斜視説明図。
【図１６】図１６(ａ)は、図１５(ａ)に示す装着アタッチメントの側面視縮小説明図であり、図１６(ｂ)は、図１６(ａ)に示す装着アタッチメントを上方から見た状態を示す拡大説明図。
【図１７】本発明に係る表示部材セットを構成する装着アタッチメントの他の実施例を説明するための図であり、図１７(ａ)(ｂ)は装着アタッチメントの斜視説明図。
【図１８】図１８(ａ)は図１７(ａ)に示す装着アタッチメントの側面視縮小説明、図１８(ｂ)は図１７(ａ)に示す装着アタッチメントを上方から見た状態を示す拡大説明図。
【図１９】本発明に係る表示部材セットの第５の実施例を説明するための図であって、表示部材セットの使用状態を示す正面視説明図。
【図２０】図２０(ａ)(ｂ)は、図１９に示す表示部材セットを構成する装着アタッチメントの斜視説明図。
【図２１】図２１(ａ)は図２０(ａ)に示す装着アタッチメントの側面視説明図、図２１(ｂ)は同じく装着アタッチメントの正面視説明図、図２１(ｃ)は装着アタッチメントの平面視説明図。
【図２２】本発明に係る表示部材セットの第６の実施例を説明するための図であり、表示部材セットの使用状態を示す正面視説明図。
【図２３】図１９に示す表示部材セットを構成する装着アタッチメントの斜視説明図。
【符号の説明】
【０１６９】
Ａ 表示部材セット
１ 表示部材
２ 取付ベース
３，３ｂ,３ｃ 表示パネルシート
４，４ａ，４ｂ,４ｃ，４ｄ,４ｅ 装着アタッチメント
５，５ｄ 掛け渡しバー
１０ 基部側開口
１１ 表側部
１２ 裏側部
１３ 曲部
１４ 先端縁
１５ アタッチメント被装着部
１６ 吊下具
２０ 基体
２１,２１ｂ 係止部材
２２ 取付ベース
２７ 底板
２８ 側壁部
３１ 差込片
３２ 嵌合凹部
４１ 掛止部
４２ アタッチメント本体
４３，４３ａ 表示体受部
４４,４４ａ バネ
４５ 嵌合孔
４６ フック
４７ 取付部
５１ 掛け渡しバー
１００ 表示シート
１０１ 表示面
１０２ 開口部
１１５ａ 差込孔
１１５ａ，１１５ｂ 差込孔
１１６ 孔
１５１ 掛止溝
２００ 流体収容部
２１５ａ，２１５ｂ 係合突起
２７０ 締付固定具
２７１ 孔
２７２ リブ
２７３ 凹部
３１１ 掛止凹部
３１２ 掛止部
３２１ 掛止片
４２１ 嵌合凹部
４３１ 嵌合片
４３２ 差込溝
４３３，４３３ｂ 掛止突条部
４３４ 当接部
６００ 突条部
６１１ 表面部
６１２ 孔
６１３ 収容凹部
６１４ 底面部
６１５ 凹み
６１６ 突部
６１７ 蓋
６１８ 流体充填部
６１９ 凹部
６２０ 孔
６２１ 残部片
６２２ 凹み
６２３ 溝
９１１ 表面部
Ｂ 植木鉢
Ｓ 表示部材セット
【図１】
2008003334.tif 000003
【図２】
2008003334.tif 000004
【図３】
2008003334.tif 000005
【図４】
2008003334.tif 000006
【図５】
2008003334.tif 000007
【図６】
2008003334.tif 000008
【図７】
2008003334.tif 000009
【図８】
2008003334.tif 000010
【図９】
2008003334.tif 000011
【図１０】
2008003334.tif 000012
【図１１】
2008003334.tif 000013
【図１２】
2008003334.tif 000014
【図１３】
2008003334.tif 000015
【図１４】
2008003334.tif 000016
【図１５】
2008003334.tif 000017
【図１６】
2008003334.tif 000018
【図１７】
2008003334.tif 000019
【図１８】
2008003334.tif 000020
【図１９】
2008003334.tif 000021
【図２０】
2008003334.tif 000022
【図２１】
2008003334.tif 000023
【図２２】
2008003334.tif 000024
【図２３】
2008003334.tif 000025
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
周壁を構成するように連設された表裏一対の側面部(11,12)を備え、該側面部(11,12)の縁部の一部または全部に沿うようにして連続的または断続的に設けられた被装着部(15)を有する表示部材(1)と、
該表示部材(1)に対する固定位置を変えることができるように、上記被装着部(15)の所要の位置に着脱可能に固定することができる装着アタッチメント(4)と、
を備えており、
該装着アタッチメント(4)には、上記表示部材(1)に施される表示とは別に表示を施すことが可能な表示体(3)、または／及び並設される上記表示部材(1,1)の間に掛け渡すように配置することにより該表示部材(1,1)と協働して仕切区域を形成できる掛け渡しバー(5)が取り付けられているか、取り付け可能であり、
更に該装着アタッチメント(4)は、上記表示部材(1)の被装着部(15)に嵌め込むことができる嵌込部(42)を有しており、該嵌込部(42)は自己の形状保持力または／及び付勢手段によって上記被装着部(15)を挟持または把持する方向に力が作用することで、表示部材(1)に対する装着アタッチメント(4)の固定が維持される、
表示部材セット。
【請求項２】
表示部材(1)を着脱可能に取り付けることができ、取り付けた表示部材(1)に自立性を付与することができる取付ベース(2)を備えている、
請求項１記載の表示部材セット。
【請求項３】
表示部材(1)は少なくとも基部側が筒状に形成されていると共に、基部側開口(10)を閉じようとする自己閉鎖性を有しており、該自己閉鎖性によって基部側開口(10)が閉じる方向に力が作用することで、取付ベース(2)に対する表示体の取り付けが維持される、
請求項２記載の表示部材セット。
【請求項４】
外側に表示面(101)を有し、表示部材(1)に着脱可能に被せることができる表示シート(100)を備えている、
請求項１ないし３のいずれかに記載の表示部材セット。
【請求項５】
請求項１ないし４のいずれかに記載の表示部材セットを構成する、
装着アタッチメント。
【請求項６】
請求項１ないし５のいずれかに記載の表示部材セットを構成する、
表示部材。
【請求項７】
請求項４に記載の表示部材セットを構成する、
表示シート。